(57)【要約】【課題】複数の巻き付け方式の緯糸測長貯留装置を用いる場合にも、緯糸測長貯留装置に関する入力操作部の操作容易性や表示部の視認容易性を確保する。【解決手段】支柱１２の上部には巻き付け方式の緯糸測長貯留装置１４が取り付け金具１５を介して支持されている。支持バー１３の一端部には巻き付け方式の緯糸測長貯留装置１６が載置して支持されており、支持バー１３の他端部には巻き付け方式の緯糸測長貯留装置１７が載置して支持されている。箱体１１の上面１１２の一部には傾斜面１１３が形成されている。傾斜面１１３は、箱体１１の側面１１４に下り勾配で連なっている。つまり、傾斜面１１３の最下位部位は、箱体１１の側面１１４との境となっている。入力操作部４１及び表示部４２は、傾斜面１１３上に設けられている。【選択図】  図１
2005126838.tif 000002
【特許請求の範囲】
【請求項１】
緯入れ用ノズルの噴射作用によって巻き付け方式の緯糸測長貯留装置から緯糸を引き出して緯入れするジェットルームにおける緯糸測長貯留装置の支持機構において、
複数の前記緯糸測長貯留装置を支持するための支持機構の一部として箱体を用い、前記箱体の上方に前記複数の緯糸測長貯留装置を配設すると共に、前記箱体の側面に下り勾配で連なる傾斜面を前記箱体の上面に設け、前記緯糸測長貯留装置に関する入力操作部及び表示部を前記傾斜面に設けたジェットルームにおける緯糸測長貯留装置の支持機構。
【請求項２】
織機の後側から前側に向かうにつれて下りとなるように前記傾斜面の傾斜方向を設定した請求項１に記載のジェットルームにおける緯糸測長貯留装置の支持機構。
【発明の詳細な説明】
【技術分野】
【０００１】
本発明は、緯入れ用ノズルの噴射作用によって巻き付け方式の緯糸測長貯留装置から緯糸を引き出して緯入れするジェットルームにおける緯糸測長貯留装置の支持機構に関するものである。
【背景技術】
【０００２】
緯入れ用ノズルから緯糸を射出して緯入れする緯糸を測長するジェットルームでは、巻き付け方式の緯糸測長貯留装置が一般的に用いられる。この種の緯糸測長貯留装置が例えば特許文献１に開示されている。緯糸測長貯留装置のドラムに巻き付けられた緯糸は、ソレノイドによって駆動される測長爪の係止作用から解放されているときに、緯入れ用ノズルの噴射作用によってドラムから引き出し解舒される。ドラムから引き出される緯糸の解舒は、緯糸解舒センサによって検出しており、ドラムから引き出される緯糸の解舒を検出した回数が所定数に達すると、測長爪が緯糸を係止する位置に配置され、緯糸が所定長だけ緯入れされる。
【０００３】
緯糸を測長爪の係止作用から解放するタイミング（つまり、ソレノイドを励磁するタイミング）や前記所定数は、コントロールユニットに入力設定される。このような入力設定を行なうためのキーボードを備えた運転条件設定装置には表示画面も備えられている。表示画面は、キーボードによって入力設定された条件で織機を運転したときのアクチュエータ（例えばソレノイド）の動作状態を表示する。
【特許文献１】実開平５−３０１８４号公報
【発明の開示】
【発明が解決しようとする課題】
【０００４】
特許文献１に開示の運転条件設定装置は、緯糸測長貯留装置の設置場所とは無関係に床に別設置されるが、このような別設置は、そのための設置面積を必要とし、作業者の作業性を考慮して必要とされる織機周りの作業スペースを含む織機１台当たりに必要な床面積が大きくなる。
【０００５】
緯入れ用ノズルは、ワープラインと同程度の高さ位置にあり、巻き付け方式の緯糸測長貯留装置は、緯入れ用ノズルの高さ位置と同程度の高さ位置、あるいは緯入れ用ノズルの高さ位置よりも若干高い位置又は若干低い位置に配設される。緯糸測長貯留装置を所定の高さ位置に支持するための機構として箱体や支柱が用いられるので、このような支持機構に前記の運転条件設定装置を組み込むことにより、緯糸測長貯留装置の下方を運転条件設定装置のための設置スペースとして有効利用することができる。箱体は、緯糸測長貯留装置の制御部を内蔵するのに好適である。制御部を内蔵した箱体は、支持機構の一部として有効利用できる。
【０００６】
箱体の表面は、キーボードや表示画面を組み込む場所として好適である。しかし、製織に用いる緯糸の種類が複数になると、複数の緯糸測長貯留装置が必要になる。そうすると、緯糸測長貯留装置の占有スペースが大きくなる上に、制御部が大きくなって箱体の体格も大きくなる。キーボードや表示画面を組み込む場所は、キーボードにおける入力操作のし易さや、表示画面の見易さを考慮して決定する必要がある。緯糸測長貯留装置の数を増やすと、緯糸測長貯留装置の占有スペースが大きくなり、かつ箱体の体格も大きくなるという事情は、キーボードにおける入力操作のし易さや、表示画面の見易さに対する阻害要因となるものである。そのため、このような阻害要因も考慮してキーボードや表示画面を組み込む場所を決定する必要がある。
【０００７】
本発明は、複数の巻き付け方式の緯糸測長貯留装置を用いる場合にも、緯糸測長貯留装置に関する入力操作部の操作容易性や表示部の視認容易性を確保することを目的とする。
【課題を解決するための手段】
【０００８】
そのために本発明は、緯入れ用ノズルの噴射作用によって巻き付け方式の緯糸測長貯留装置から緯糸を引き出して緯入れするジェットルームを対象とし、請求項１の発明では、複数の前記緯糸測長貯留装置を支持するための支持機構の一部として箱体を用い、前記箱体の上方に前記複数の緯糸測長貯留装置を配設すると共に、前記箱体の側面に下り勾配で連なる傾斜面を前記箱体の上面に設け、前記緯糸測長貯留装置に関する入力操作部及び表示部を前記傾斜面に設けた。
【０００９】
入力操作部は、傾斜面が下り勾配で連なる側面側から操作し易く、表示部は、前記側面側から視認し易い。
請求項２の発明では、請求項１において、織機の後側から前側に向かうにつれて下りとなるように前記傾斜面の傾斜方向を設定した。
【００１０】
入力操作部の入力操作が織機の前側から行ない易く、表示部は、織機の前側から視認し易い。
【発明の効果】
【００１１】
本発明は、複数の巻き付け方式の緯糸測長貯留装置を用いる場合にも、緯糸測長貯留装置に関する入力操作部の操作容易性や表示部の視認容易性を確保できるという優れた効果を奏する。
【発明を実施するための最良の形態】
【００１２】
以下、本発明をウォータジェットルームに具体化した第１の実施形態を図１〜図３に基づいて説明する。
図１（ａ），（ｂ）に示すように、基板１０上には四角箱形状の箱体１１及び支柱１２が載置して固定されている。支柱１２は、箱体１１の背面１１１に沿って立設されており、支柱１２の途中には支持バー１３が水平方向に延びるように固定して支持されている。
【００１３】
支柱１２の上部には巻き付け方式の緯糸測長貯留装置１４が取り付け金具１５を介して支持されている。支持バー１３の一端部には巻き付け方式の緯糸測長貯留装置１６が載置して支持されており、支持バー１３の他端部には巻き付け方式の緯糸測長貯留装置１７が載置して支持されている。箱体１１、支柱１２及び支持バー１３は、複数の緯糸測長貯留装置を支持するための支持機構を構成する。
【００１４】
図３に示すように、巻き付け方式の緯糸測長貯留装置１４は、糸巻き付け管１８を回転させて糸巻き付け面１９に緯糸Ｙ１を巻き付ける。糸巻き付け管１８は、織機駆動モータとは別の糸巻き付け用モータ（図示略）によって駆動される。糸巻き付け面１９への緯糸巻付及び糸巻き付け面１９からの緯糸引き出し解舒は、電磁ソレノイド２０によって駆動される係止ピン２０１によって制御される。緯糸測長貯留装置１４から引き出し解舒される緯糸Ｙ１は、緯糸解舒検出器２１によって検出される。
【００１５】
緯糸測長貯留装置１６，１７も緯糸測長貯留装置１４と同様に、糸巻き付け管１８、糸巻き付け面１９、電磁ソレノイド２０、緯糸解舒検出器２１及び糸巻き付け用モータを備えている。緯糸測長貯留装置１６の糸巻き付け面１９には緯糸Ｙ２が巻き付けられ、緯糸測長貯留装置１７の糸巻き付け面１９には緯糸Ｙ３が巻き付けられる。
【００１６】
緯糸測長貯留装置１４，１６，１７の前方には緯入れ用ノズル２２，２３，２４が配設されている。緯入れ用ノズル２２は、緯糸測長貯留装置１４から緯糸Ｙ１を引き出して経糸（図示略）の開口内へ緯入れする。緯入れ用ノズル２３は、緯糸測長貯留装置１６から緯糸Ｙ２を引き出して経糸開口内へ緯入れし、緯入れ用ノズル２４は、緯糸測長貯留装置１７から緯糸Ｙ３を引き出して経糸開口内へ緯入れする。
【００１７】
緯入れ用ノズル２２は、電気式の切り換えバルブ２５を介してポンプ２６に接続されている。緯入れ用ノズル２３，２４は、いずれも電気式の切り換えバルブ２７に接続されており、切り換えバルブ２７は、電気式の切り換えバルブ２８を介してポンプ２９に接続されている。つまり、緯入れ用ノズル２３，２４は、切り換えバルブ２７，２８を介してポンプ２９に接続されている。切り換えバルブ２５，２７，２８は、制御コンピュータＣ２の指令制御を受ける。
【００１８】
切り換えバルブ２５，２８は、入力ポート２５１，２８１と、出力ポート２５２，２８２と、排出ポート２５３，２８３とを備えており、切り換えバルブ２７は、入力排出兼用ポート２７１と、第１の出力ポート２７２と、第２の出力ポート２７３とを備えている。
【００１９】
ポンプ２６，２９は、緯入れ毎に緯入れ１回分の圧力水を送り出す。緯入れ用ノズル２２が緯入れタイミングであるときには、切り換えバルブ２５が入力ポート２５１と出力ポート２５２とを連通する状態（圧力水を供給する状態）に切り換えられる。これによりポンプ２６から送り出された圧力水が切り換えバルブ２５を経由して緯入れ用ノズル２２へ供給される。緯入れ用ノズル２３が緯入れタイミングであるときには、切り換えバルブ２８が入力ポート２８１と出力ポート２８２とを連通する状態（圧力水を供給する状態）に切り換えられる。そして、切り換えバルブ２７が入力排出兼用ポート２７１と第１の出力ポート２７２とを連通する状態（緯入れ用ノズル２３へ圧力水を供給する状態）に切り換えられる。これによりポンプ２６から送り出された圧力水が切り換えバルブ２８，２７を経由して緯入れ用ノズル２３へ供給される。緯入れ用ノズル２４が緯入れタイミングであるときには、切り換えバルブ２８が入力ポート２８１と出力ポート２８２とを連通する状態（圧力水を供給する状態）に切り換えられる。そして、切り換えバルブ２７が入力排出兼用ポート２７１と第２の出力ポート２７３とを連通する状態（緯入れ用ノズル２４へ圧力水を供給する状態）に切り換えられる。これによりポンプ２６から送り出された圧力水が切り換えバルブ２８，２７を経由して緯入れ用ノズル２４へ供給される。
【００２０】
緯入れ用ノズル２２が緯入れタイミングでないときには、切り換えバルブ２５が出力ポート２５２と排出ポート２５３とを連通する状態（排水状態）に切り換えられ、緯入れ用ノズル２２からの緯入れが休止される。緯入れ用ノズル２３，２４が緯入れタイミングでないときには、切り換えバルブ２８が出力ポート２８２と排出ポート２８３とを連通する状態（排水状態）に切り換えられ、緯入れ用ノズル２３，２４からの緯入れが休止される。
【００２１】
緯入れ用ノズル２３，２４から射出される緯糸Ｙ２，Ｙ３は、ポンプ２９の緯入れ能力の範囲内であれば、同種の緯糸に限らず、異種の緯糸が使用される。
制御コンピュータＣ１には緯糸解舒検出器２１が信号接続されている。制御コンピュータＣ１は、緯糸解舒検出器２１及びロータリエンコーダ４０からの検出信号に基づいて、糸巻き付け面１９からの緯糸引き出し解舒タイミングを把握する。電磁ソレノイド２０の励消磁は、制御コンピュータＣ１によって制御される。制御コンピュータＣ１は、緯糸解舒検出器２１からの緯糸解舒検出情報及びロータリエンコーダ４０からの織機回転角度検出信号に基づいて、電磁ソレノイド２０の励消磁を制御する。織機回転角度が所定の織機回転角度になると、制御コンピュータＣ１は、電磁ソレノイド２０を励磁し、係止ピン２０１が緯糸を係止する位置から解放する位置へ移動する。緯糸解舒検出回数が所定回数に達すると、制御コンピュータＣ１は、電磁ソレノイド２０を消磁し、係止ピン２０１が緯糸を解放する位置から係止する位置へ移動する。
【００２２】
制御コンピュータＣ１には入力操作部４１及び表示部４２が信号接続されている。入力操作部４１は、電磁ソレノイド２０の励磁タイミング、前記糸巻き付け用モータの回転数、前記した所定の織機回転角度、前記した所定回数等の測長条件を入力設定するためのものである。制御コンピュータＣ１は、入力操作部４１を操作して入力される測長条件を表示部４２に表示させる。又、制御コンピュータＣ１は、電磁ソレノイド２０の実際の励消磁タイミング、前記糸巻き付け用モータの実際の回転数等を表示部４２に表示させる。制御コンピュータＣ１は、箱体１１の内部に内臓されている。
【００２３】
図１（ａ），（ｂ）に示すように、箱体１１の側面１１４と接続する部分の上面１１２の一部には傾斜面１１３が形成されている。傾斜面１１３は、箱体１１の上面１１２から側面１１４に向かう下り勾配で連なっている。つまり、傾斜面１１３の最下位部位は、箱体１１の側面１１４との境となっている。緯糸測長貯留装置１４，１６，１７に関する入力操作部４１及び表示部４２は、傾斜面１１３上に設けられている。入力操作部４１及び表示部４２を塵や水から保護するための透明なシート（図示略）が傾斜面１１３上に設けられている。
【００２４】
図２に示すように、３つの緯糸測長貯留装置１４，１６，１７のうちの２つ（緯糸測長貯留装置１６，１７）は、織機４３の前側から後側に向かう方向に並べられている。図２では箱体１１の右方が織機４３の前側となり、箱体１１の左方が織機４３の後側となる。残りの１つ（緯糸測長貯留装置１４）は、緯糸測長貯留装置１６，１７の間の上方に設けられている。経糸を巻いたワープビーム（図示略）は、織機の後側にあり、製織された織布（図示略）を巻き取るクロスローラ（図示略）は、織機の前側にある。緯糸測長貯留装置１４における糸巻き付け面１９の中心軸線１９１〔図１（ｂ）に図示〕は、ワープラインＬの高さ位置よりも若干上に配置されており、緯糸測長貯留装置１６，１７における各糸巻き付け面１９の中心軸線１９２，１９３〔図１（ｂ）に図示〕は、ワープラインＬの高さ位置よりも若干下に配置されている。
【００２５】
なお、緯糸測長貯留装置１４，１６，１７における各糸巻き付け面１９の中心軸線１９１，１９２，１９３の高さ位置のことを緯糸測長貯留装置１４，１６，１７の高さ位置ということもある。
【００２６】
図１（ａ）に示すように、中心軸線１９１は、緯入れ用ノズル２２の導入口２２１を指向している。中心軸線１９２は、緯入れ用ノズル２３の導入口２３１を指向しており、中心軸線１９３は、緯入れ用ノズル２４の導入口２４１を指向している。
【００２７】
第１の実施形態では以下の効果が得られる。
（１−１）緯糸測長貯留装置１４，１６，１７における糸巻き付け面１９の中心軸線１９１，１９２，１９３の高さ位置は、糸巻き付け面１９から緯糸を円滑に引き出し解舒して緯入れ用ノズル２２，２３，２４に導くために、緯入れ用ノズル２２，２３，２４の高さ位置付近に設定される。緯入れ用ノズル２２，２３，２４の高さ位置は、ワープラインＬの高さ位置付近に制約されるので、緯糸測長貯留装置１４，１６，１７における糸巻き付け面１９の中心軸線１９１，１９２，１９３の高さ位置もワープラインＬの高さ位置付近に制約される。
【００２８】
本実施形態では、３つの緯糸測長貯留装置１４，１６，１７のうちの上側の緯糸測長貯留装置１４における中心軸線１９１は、ワープラインＬの高さ位置よりも上にあるが、下側の２つの緯糸測長貯留装置１６，１７における中心軸線１９２，１９３は、ワープラインＬの高さ位置よりも下にある。このようなワープラインＬと中心軸線１９１，１９２，１９３との高さ位置の関係は、３つの緯糸測長貯留装置１４，１６，１７の配置をコンパクトにし、かつ緯入れ用ノズル２２，２３，２４の噴射方向に対する中心軸線１９１，１９２，１９３の傾きを少なくするためである。緯入れ用ノズル２２，２３，２４の噴射方向に対する中心軸線１９１，１９２，１９３の傾きは、緯糸測長貯留装置１４，１６，１７からの緯糸の円滑な引き出し解舒のために、小さいほど好ましい。
【００２９】
緯糸測長貯留装置１６，１７の高さ位置が低いほど、緯糸測長貯留装置１６，１７と箱体１１の上面１１２との間の間隔は、狭くなる。又、箱体１１の床面積を変えないとすると、緯糸測長貯留装置の個数が多くなるほど制御コンピュータＣ１が大きくなるために、箱体１１の高さは大きくなり、一番下側の緯糸測長貯留装置と箱体１１の上面１１２との間の間隔は、狭くなる。箱体１１の上面が全て水平面であって、このような水平面上に入力操作部４１及び表示部４２が設けられているとすると、前記間隔が狭くなるほど入力操作部４１の操作性が悪くなってゆき、表示部４２の視認性が悪くなってゆく。
【００３０】
傾斜面１１３上に入力操作部４１及び表示部４２を設けた構成は、側面１１４側からの入力操作部４１の操作性の向上及び側面１１４側からの表示部４２の視認性の向上に寄与する。つまり、傾斜面１１３上の入力操作部４１は、傾斜面１１３が下り勾配で連なる側面１１４側から操作し易く、傾斜面１１３上の表示部４２は、傾斜面１１３が下り勾配で連なる側面１１４側から視認し易い。下り勾配で側面１１４に連なる傾斜面１１３上に入力操作部４１及び表示部４２を設けた構成は、複数の巻き付け方式の緯糸測長貯留装置１４，１６，１７を用いる場合にも、入力操作部４１の操作容易性や表示部４２の視認容易性の確保に有効である。
【００３１】
（１−２）傾斜面１１３の傾斜方向は、織機の後側から前側に向かうにつれて下りとなるように設定されている。従って、入力操作部４１における入力操作が織機４３の前側から行ない易く、表示部４２は、織機４３の前側から視認し易い。
【００３２】
（１−３）作業者は、使用している工具を一時的にどこかに載せておこうとすることもある。この場合、箱体１１上が工具の置き場所として使われる可能性もあるが、入力操作部４１及び表示部４２を設けた面は傾斜しているので、工具を傾斜面１１３に載せたとしても滑り落ちてしまう。そのため、作業者は、工具を傾斜面１１３上に載せないように注意することになる。即ち、傾斜面１１３上に入力操作部４１及び表示部４２を設けた構成は、入力操作部４１上に工具を置いてしまって入力操作部４１を誤操作するといった事態の回避に寄与する。
【００３３】
（１−４）緯糸測長貯留装置１４を取り付けた支柱１２、及び２つの緯糸測長貯留装置１６，１７を取り付けた支持バー１３は、十字架を構成している。つまり、３つの緯糸測長貯留装置１４，１６，１７は、十字架を介して箱体１１に支持されており、支柱１２は、箱体１１の背面１１１側に設けられている。支柱１２及び支持バー１３により構成される十字架は、３つの緯糸測長貯留装置１４，１６，１７をコンパクトに支持する上で好適な支持機構の一部となる。
【００３４】
（１−５）入力操作部４１が傾斜しているため、ウォータジェットに使用する水がかかっても即座に流れ落ち、電子基板を収納した内部への水の侵入を防止するという効果がある。
【００３５】
本発明では図４に示す実施形態、及び図５に示す実施形態も可能である。
図４の実施形態では、支柱１２に取り付けられた緯糸測長貯留装置１４が支持バー１３に取り付けられた緯糸測長貯留装置１６，１７の間の下側に配置されている。下側の緯糸測長貯留装置１４の高さ位置（つまり、緯糸測長貯留装置１４における糸巻き付け面１９〔図１（ｂ）参照〕の中心軸線１９１〔図１（ｂ）参照〕の高さ位置）は、ワープラインＬの高さ位置よりも下にしてある。上側の緯糸測長貯留装置１６，１７の高さ位置（つまり、緯糸測長貯留装置１６，１７における糸巻き付け面１９〔図１（ｂ）参照〕の中心軸線１９２，１９３〔図１（ｂ）参照〕の高さ位置）は、ワープラインＬの高さ位置よりも上にしてある。
【００３６】
図４の実施形態では、傾斜面１１３上の入力操作部４１〔図１（ａ），（ｂ）参照〕の操作性及び表示部４２〔図１（ａ），（ｂ）参照〕の視認性は、第１の実施形態の場合よりも更に良くなる。
【００３７】
図５の実施形態では、箱体１１の上面が全て傾斜面１１３Ａにしてあり、支柱１２よりも右側における傾斜面１１３Ａの部位に入力操作部４１〔図１（ａ），（ｂ）参照〕及び表示部４２〔図１（ａ），（ｂ）参照〕が設けられている。傾斜面１１３Ａは、箱体１１の側面１１４に下り勾配で連なっている。この実施形態においても、第１の実施形態と同様の効果が得られる。
【００３８】
本発明では以下のような実施形態も可能である。
（１）２つの緯糸測長貯留装置を同じ高さ位置に配置した場合にも、本発明を適用してもよい。
【００３９】
（２）４つ以上の緯糸測長貯留装置を使用するジェットルームに本発明を適用してもよい。
（３）本発明をエアジェットルームに適用してもよい。
【００４０】
前記した実施形態から把握できる技術的思想について以下に記載する。
〔１〕前記複数の緯糸測長貯留装置のうちの少なくとも１つの高さ位置と他の高さ位置とを異ならせた請求項１及び請求項２のいずれか１項に記載のジェットルームにおける緯糸測長貯留装置の支持機構。
【００４１】
〔２〕前記緯糸測長貯留装置は３つであり、これらのうちの１つは、残りの２つよりも上側に配設され、上側の緯糸測長貯留装置は、上から見て下側の２つの緯糸測長貯留装置の間にある前記〔１〕項に記載のジェットルームにおける緯糸測長貯留装置の支持機構。
【００４２】
〔３〕前記３つの緯糸測長貯留装置は、十字架を介して箱体に支持されており、２つの緯糸測長貯留装置は、十字架を構成する支持バーに取り付けられ、残りは、十字架を構成する支柱の上部に取り付けられ、支柱は、箱体の背面側に設けられている前記〔２〕項に記載のジェットルームにおける緯糸測長貯留装置の支持機構。
【００４３】
〔４〕複数の緯糸測長貯留装置のうちの少なくとも１つの高さ位置をワープラインの高さ位置よりも下側とし、残りの緯糸測長貯留装置の高さ位置をワープラインの高さ位置よりも上側とした前記〔１〕項乃至〔３〕項のいずれか１項に記載のジェットルームにおける緯糸測長貯留装置の支持機構。
【００４４】
なお、〔４〕項における緯糸測長貯留装置の高さ位置とは、緯糸測長貯留装置における糸巻き付け面の中心軸線の高さ位置のことを意味する。
【図面の簡単な説明】
【００４５】
【図１】第１の実施形態を示し、（ａ），（ｂ）は、斜視図。
【図２】要部背面図。
【図３】ウォータジェットルームの緯入れ装置の概略構成図。
【図４】別の実施形態を示す側面図。
【図５】別の実施形態を示す側面図。
【符号の説明】
【００４６】
１１…箱体。１１２…上面。１１３，１１３Ａ…傾斜面。１１４…側面。１２…支持機構を構成する支柱。１３…支持機構を構成する支持バー。１４，１６，１７…緯糸測長貯留装置。２２，２３，２４…緯入れ用ノズル。４１…入力操作部。４２…表示部。４３…織機。Ｙ１，Ｙ２，Ｙ３…緯糸。
【図１】
2005126838.tif 000003
【図２】
2005126838.tif 000004
【図３】
2005126838.tif 000005
【図４】
2005126838.tif 000006
【図５】
2005126838.tif 000007